(57)【要約】【課題】  高輝度かつ輝度ムラの少ない液晶表示装置を提供する。【解決手段】  液晶表示装置１００は、表示領域１０１ａと、表示領域１０１ａの外側に設けられた非表示領域１０１ｂとが構成された液晶表示パネル１０１と、液晶表示パネル１０１の背面側に設けられた面光源１１０とを備える。液晶表示パネル１０１と面光源１１０との間には、液晶表示パネル１０１の非表示領域１０１ｂを遮蔽するように、面光源１１０側が光反射面に構成された接着層兼光漏防止層１０２が設けられている。【選択図】図１
2005173222.tif 000002
【特許請求の範囲】
【請求項１】
表示領域と、該表示領域の外側に設けられた非表示領域とが構成された液晶表示パネルと、該液晶表示パネルの背面側に設けられた面光源と、を備えた液晶表示装置であって、
上記液晶表示パネルと上記面光源との間に、該液晶表示パネルの非表示領域を遮蔽するように設けられ、面光源側が光反射面に構成された光漏防止層をさらに備えていることを特徴とする液晶表示装置。
【請求項２】
請求項１に記載された液晶表示装置において、
上記光漏防止層は、上記液晶表示パネルと上記面光源とを接着する接着層をも兼ねていることを特徴とする液晶表示装置。
【請求項３】
請求項２に記載された液晶表示装置において、
上記接着層兼光漏防止層は、面光源側が光反射面である遮光層と、それを挟む一対の接着層とで構成され、面光源側の接着層が光透過性であることを特徴とする液晶表示装置。
【請求項４】
請求項３に記載された液晶表示装置において、
上記遮光層が銀薄膜であることを特徴とする液晶表示装置。
【請求項５】
請求項１に記載された液晶表示装置において、
上記光漏防止層が額縁状に形成されていることを特徴とする液晶表示装置。
【発明の詳細な説明】
【技術分野】
【０００１】
本発明は、液晶表示装置に関し、より詳細には、高輝度かつ輝度ムラの少ない液晶表示装置に関するものである。
【背景技術】
【０００２】
従来の液晶表示装置２００の構造について、図６を用いて説明する。
【０００３】
図６は、従来の液晶表示装置２００を示す概略分解斜視図である。この液晶表示装置２００は、液晶表示パネル２０１と、液晶表示パネル２０１の背面側に設けられた面光源２１０と、を備えている。液晶表示パネル２０１と面光源２１０とは、それらの間に介設された両面粘着テープ２０２で接着されている。液晶表示パネル２０１には、パネル中央部分に表示領域２０１ａ及びその表示領域２０１ａの外周部分に非表示領域２０１ｂがそれぞれ構成されている。また、面光源２１０は、発光ダイオード実装フレキシブル印刷回路（以下、「ＬＥＤ実装ＦＰＣ」と略すことがある。）２０３と、複数のレンズシート２０４と、拡散シート２０５と、導光板２０６と、反射シート２０７と、樹脂フレーム２０８及び金属フレーム２０９により構成されたフレーム２１１と、が順に積層された構成となっている。
【０００４】
この液晶表示装置２００では、まず、ＬＥＤ実装ＦＰＣ２０３から出射された光は、反射シート２０７により液晶表示パネル２０１側に反射され、導光板２０６および拡散シート２０５により拡散される。導光板２０６および拡散シート２０５により拡散された光は、レンズシート２０４により集光されることにより、液晶表示パネル２０１に光が供給される。
【０００５】
しかし、このような液晶表示装置２００では、液晶表示パネル２０１に供給された光の一部が非表示領域２０１ｂの周辺端部から漏れ、その光漏により表示領域２０１ａの周辺端部の輝度が急激に高くなり、輝度ムラが発生するという問題がある。
【０００６】
このような問題に鑑みて、例えば、特許文献１には、非表示領域２０１ｂを面光源２１０から遮蔽するように黒色で光を吸収する遮光性の両面粘着テープ２０２を備えた液晶表示装置２００が開示されている。
【０００７】
この構成によれば、面光源２１０より出射された光は、非表示領域２０１ｂの周辺端部から漏れることなく、遮光性の黒色両面粘着テープ２０２により吸収されるため、表示領域２０１ａの周辺端部の輝度が急激に高くなることに起因する輝度ムラの発生を抑制することができる、と記載されている。
【特許文献１】特開２００１−９１９４５号公報
【発明の開示】
【発明が解決しようとする課題】
【０００８】
しかしながら、光吸収性能を有する両面粘着テープ２０２で非表示領域２０１ｂを遮蔽した液晶表示装置２００においては、両面粘着テープ２０２は非表示領域２０１ｂに入射する光を吸収するため、非表示領域２０１ｂからの光漏により表示領域２０１ａの周辺端部の輝度が急激に高くなることに起因する輝度ムラは改善できるものの、光の利用効率が低くなってしまい、表示領域２０１ａに十分に高い輝度を得ることができないという問題がある。また、液晶表示パネル２０１周辺部分に入射する光の一部が両面粘着テープ２０２により吸収されるため、表示領域２０１ａ中央部分に比べて表示領域２０１ａ周辺部分の輝度が低くなり、輝度ムラが生じるという問題もある。
【０００９】
本発明は、かかる点に鑑みてなされたものであり、その目的とするところは、高輝度かつ輝度ムラの少ない液晶表示装置を提供することにある。
【課題を解決するための手段】
【００１０】
上記目的を達成する本発明は、表示領域と、該表示領域の外側に設けられた非表示領域とが構成された液晶表示パネルと、該液晶表示パネルの背面側に設けられた面光源と、を備えた液晶表示装置であって、
上記液晶表示パネルと上記面光源との間に該液晶表示パネルの非表示領域を遮蔽するように、面光源側が光反射面に構成された光漏防止層をさらに備えている。
【００１１】
本発明においては、液晶表示パネルの非表示領域を遮蔽するように光漏防止層が設けられているので、面光源から液晶表示パネルの非表示領域に入射した光は光漏防止層によって遮光される。したがって、液晶表示パネルにおける表示側の非表示領域からの光漏を防止することができる。また、光漏防止層の面光源側が光反射面に構成されているので、光漏防止層に入射した光は、光漏防止層に反射して面光源側に戻り、再度反射等して表示領域に入射することとなる。したがって、光の利用効率の低下や液晶表示装置周辺部分の光の損失を抑制することができる。そして、これらによって、高輝度かつ表示領域中央部分と表示領域周辺部分の輝度差の少ない液晶表示装置を実現することができる。
【００１２】
また、本発明においては、光漏防止層が、液晶表示パネルと面光源とを接着する接着層を兼ねていることがより好ましい。このような構成によれば、液晶表示パネルと面光源とを接着する接着層を兼ねているので、液晶表示装置製造工程において、光漏防止層を設置する工程と、液晶表示パネルと面光源とを接着する工程とを同時に行うことができるため、液晶表示装置を容易かつ安価に製造できる。
【００１３】
また、本発明においては、接着層兼光漏防止層が、面光源側が光反射面である遮光層と、それを挟む一対の接着層とで構成され、面光源側の接着層が光透過性であるものであってもよい。このような構成によれば、面光源側の接着層が光透過性であるので、それによる光の吸収を抑制することができ、光漏防止層による反射時の光損失を抑制することができる。
【００１４】
また、この場合、本発明においては、遮光層が銀薄膜により構成されているものであってもよい。このような構成によれば、可視光域における反射率の高い銀薄膜が遮光層として用いられているので、光漏防止層による面光源からの出射光の高い反射効率を得ることができる。
【００１５】
また、本発明においては、光漏防止層が額縁状に形成されているものであってもよい。このような構成によれば、光漏防止層が額縁状に形成されているので、液晶表示パネルの非表示領域に対応させて一体の光漏防止層を設けるだけでよく、良好な光漏防止層の形成作業性を得ることができる。
【発明の効果】
【００１６】
本発明によれば、高輝度かつ輝度ムラの少ない液晶表示装置を提供することができる。
【発明を実施するための最良の形態】
【００１７】
以下、本発明の実施形態を図面に基づいて詳細に説明する。
【００１８】
図１は、本発明の実施形態に係る液晶表示装置１００の概略分解斜視図である。図２は、液晶表示装置１００の組み立て後の状態を示す概略斜視図である。図３は、図２中III―IIIで示す部分の概略断面図である。
【００１９】
この液晶表示装置１００は、液晶表示パネル１０１と、液晶表示パネル１０１の背面側に重なるように設けられた面光源１１０と、を備えている。また、液晶表示パネル１０１と面光源１１０との間は、接着層兼光漏防止層１０２によって接着固定されている。
【００２０】
液晶表示パネル１０１は、外周部分がシール材で貼り合わされた一対の透明基板の間に液晶層を狭持したものである。液晶表示パネル１０１は、液晶層部分に対応して画像を表示する表示領域１０１ａが構成され、その表示領域１０１ａの外周を額縁状に囲うように非表示領域１０１ｂが構成されている。
【００２１】
面光源１１０は、ＬＥＤ実装ＦＰＣ１０３と、複数のレンズシート１０４と、拡散シート１０５と、導光板１０６と、反射シート１０７と、フレーム１１１とがこの順に積層された構成となっている。
【００２２】
ＬＥＤ実装ＦＰＣ１０３は、面光源１１０の最上層にフレーム１１１の一の側辺に接するように設けられた矩形状の回路である。このＬＥＤ実装ＦＰＣ１０３は、その内部に発光ダイオード（ＬＥＤ）が設置されており、回路に電圧を印加することにより内部に設置されたＬＥＤが発光し、反射シート１０７側に光を出射する機能を有する。
【００２３】
反射シート１０７は、金属フレーム１０９の上に設置されている。この反射シート１０７は、ＬＥＤ実装ＦＰＣ１０３から照射された光を液晶表示パネル１０１側に反射する機能を有する。
【００２４】
導光板１０６および拡散シート１０５は、反射シート１０７の上に構成されている。この導光板１０６および拡散シート１０５は、反射シート１０７によって液晶表示パネル１０１側に反射された光を表示領域１０１ａ全体に拡散する機能を有する。
【００２５】
レンズシート１０４は、拡散シート１０５とＬＥＤ実装ＦＰＣ１０３との間に介設されている。このレンズシート１０４は、導光板１０６および拡散シート１０５により拡散された光を液晶表示パネル１０１の各画素に集光する機能を有する。
【００２６】
フレーム１１１は、金属フレーム１０９と樹脂フレーム１０８とを備えている。
【００２７】
金属フレーム１０９は、液晶表示装置１００の底部および側部を覆うように設置されている。この金属フレーム１０９は、ＬＥＤ実装ＦＰＣ１０３、レンズシート１０４、拡散シート１０５、導光板１０６、反射シート１０７、樹脂フレーム１０８、及び、液晶表示パネル１０１を支持し、液晶表示装置１００の機械的強度を担保する機能を有する。
【００２８】
樹脂フレーム１０８は、額縁状に形成され、拡散シート１０５およびレンズシート１０４を支持する段と、液晶表示パネル１０１を支持する段とを有する階段構造を有する。この樹脂フレーム１０８は、液晶表示装置１００の機械的強度を担保する機能を有する。
【００２９】
接着層兼光漏防止層１０２は、液晶表示パネル１０１の非表示領域１０１ｂの形状に対応した矩形の額縁状に形成されている。また、接着層兼光漏防止層１０２は、遮光層１０２ａと、その両面に設けられた接着層１０２ｂとで構成されている。遮光層１０２ａは、銀薄膜で形成されており、従って、液晶表示パネル１０１側及び面光源１１０側のいずれもが光反射面に構成されている。接着層１０２ｂは、液晶表示パネル１０１側及び面光源１１０のいずれの側も光透過性に構成されている。
【００３０】
上記の液晶表示装置１００によれば、液晶表示パネル１０１の非表示領域１０１ｂを遮蔽するように接着層兼光漏防止層１０２が設けられているので、面光源１１０から液晶表示パネル１０１の非表示領域１０１ｂに入射した光は接着層兼光漏防止層１０２によって遮光される。したがって、液晶表示パネル１０１における表示側の非表示領域１０１ｂの周辺端部からの光漏を防止することができる。また、接着層兼光漏防止層１０２の面光源１１０側が光反射面に構成されているので、接着層兼光漏防止層１０２に入射した光は、接着層兼光漏防止層１０２に反射して面光源１１０側に戻り、再度反射等して表示領域１０１ａに入射することとなる。したがって、光の利用効率の低下や液晶表示装置１００周辺部分の光の損失を抑制することができる。そして、これらのことから、この液晶表示装置１００は、高輝度であり、表示領域１０１ａ中央部分と表示領域１０１ａ周辺部分の輝度差が少ない。
【００３１】
また、接着層兼光漏防止層１０２が液晶表示パネル１０１と面光源１１０とを接着する接着層をも兼ねているので、液晶表示装置製造工程において、光漏防止層を設置する工程と、液晶表示パネル１０１と面光源１１０とを接着する工程とを同時に行うことができるため、液晶表示装置１００を容易かつ安価に製造できる。
【００３２】
また、接着層兼光漏防止層１０２の接着層１０２ｂが光透過性であるので、それによる光の吸収を抑制することができ、接着層兼光漏防止層１０２による反射時の光損失を抑制することができる。
【００３３】
また、可視光域における反射率の高い銀薄膜が遮光層１０２ａとして用いられているので、接着層兼光漏防止層１０２による面光源１１０からの出射光の高い反射効率を得ることができる。
【００３４】
また、接着層兼光漏防止層１０２が額縁状に形成されているので、液晶表示パネル１０１の非表示領域１０１ｂに対応させて一体の接着層兼光漏防止層１０２を設けるだけでよく、良好な接着層兼光漏防止層１０２の形成作業性を得ることができる。
【００３５】
なお、上記実施形態では、接着層兼光漏防止層１０２としたが、特にこれに限定されるものではなく、光漏防止層と接着層とをそれぞれ別個に設けてもよい。
【００３６】
また、上記実施形態では、接着層兼光漏防止層を遮光層１０２ａと、それを挟む一対の接着層１０２ｂとで構成したが、特にこれに限定されるものではなく、その他の構成のものであってもよい。
【００３７】
また、上記実施形態では、遮光層１０２ａを銀薄膜で構成したが、特にこれに限定されるものではなく、その他の構成のものであってもよい。
【実施例】
【００３８】
上記実施形態と同一形態の液晶表示装置を本発明例とした。
【００３９】
また、接着層兼光漏防止層の代わりに、両面に接着剤が塗布された黒色のポリエチレンテレフタレート（以下、「黒色ＰＥＴ」と略すことがある。）薄膜の両面粘着テープを用いた点を除いて本発明例と同一構成の液晶表示装置を比較例とした。
【００４０】
本発明例および比較例のそれぞれについて、図４に示す各スポットにおける輝度を測定した。
【００４１】
【表１】
2005173222.tif 000003
【００４２】
表１にその結果を示す。なお、表１に示す本発明例および比較例の各スポットにおける輝度は、本発明例のスポット（５）における輝度が１．００となるように正規化したときの値である。また、表１中の「ＭＡＸ」は、本発明例および比較例のそれぞれにおいて、測定スポットのうち最も高い輝度を示すスポットの輝度を示す。表１中の「ＭＩＮ」は、実施形態および比較例のそれぞれにおいて、測定スポットのうち最も低い輝度を示すスポットの輝度を示す。表１中の「ＣＥＮＴＥＲ」は実施形態および比較例それぞれにおける中央部スポット（５）の輝度を示す。表１中の「周辺平均」は実施形態および比較例それぞれにおける中央部スポット（５）を除いた他のスポットにおける輝度の平均値を示す。表１中の「Δ」は実施形態および比較例それぞれにおける「ＣＥＮＴＥＲ」の輝度から「周辺平均」の輝度を差し引いた値を示す。表１中の「ＡＶＥ．」は実施形態および比較例それぞれにおける各スポットの輝度の平均値を示す。表１中の「σ」は実施形態および比較例それぞれにおける各スポットの輝度の標準偏差を示す。
【００４３】
図５は、本発明例及び比較例の各スポットの輝度データを示す。なお、横軸は、図４に示した液晶表示装置の測定スポットに対応する測定スポットであり、縦軸は、実施形態の測定スポット（５）の輝度を１．００となるように正規化した輝度である。
【００４４】
表１および図５に示す結果から、すべての測定スポットにおいて、本発明例の輝度が比較例の輝度より高い値を示していること、また、輝度の平均値（ＡＶＥ．）も０．９５である本発明例の方が０．８４である比較例よりも高いことが分かる。
【００４５】
また、表１に示す結果から、表示領域中央部分と表示領域周辺部分の輝度の差（Δ）は、比較例では０．０９であるのに対し、本発明例では０．０６と小さいことが分かる。これは、本発明例では、接着層兼光漏防止層により表示領域周辺部分の輝度低下が抑制されているためであると考えられる。
【００４６】
さらに、輝度の標準偏差（σ）は、比較例では０．０６０であるのに対し、本発明例では０．０５２と小さいのが分かる。つまり、これは、本発明例は比較例よりも輝度ムラが少ないということである。
【図面の簡単な説明】
【００４７】
【図１】本発明の実施形態に係る液晶表示装置１００の部材構造を示す概略分解斜視図である。
【図２】本発明の実施形態に係る液晶表示装置１００の概略斜視図である。
【図３】図２におけるIII―III断面図である。
【図４】液晶表示装置の輝度測定スポットを示す概略平面図である。
【図５】本発明例および比較例の輝度測定値を表す棒グラフである。
【図６】従来の液晶表示装置２００の部材構造を示す概略分解斜視図である。
【符号の説明】
【００４８】
１００、２００  液晶表示装置、
１０１、２０１  液晶表示パネル、
１０１ａ、２０１ａ  表示領域、
１０１ｂ、２０１ｂ  非表示領域、
１０２  接着層兼光漏防止層、
１０２ａ  遮光層、
１０２ｂ  接着層、
２０２  両面粘着テープ、
１０３、２０３  ＬＥＤ実装ＦＰＣ、
１０４、２０４  レンズシート、
１０５、２０５  拡散シート、
１０６、２０６  導光板、
１０７、２０７  反射シート、
１０８、２０８  樹脂フレーム、
１０９、２０９  金属フレーム、
１１０、２１０  面光源、
１１１、２１１  フレーム。
【図１】
2005173222.tif 000004
【図２】
2005173222.tif 000005
【図３】
2005173222.tif 000006
【図４】
2005173222.tif 000007
【図５】
2005173222.tif 000008
【図６】
2005173222.tif 000009